(57)【要約】  【課題】  検査者から離隔した場所にある検査対象物を、その検査対象物の間近にまで接近することなく、離隔地から安全且つ確実に検査することができる離隔検査用装置および離隔検査方法を提供すること。  【解決手段】  検査対象物２の存在が双眼望遠鏡２２によって目視で確認されれば、アンテナ部材２１における電磁波の送受信面２１ａは検査対象物２に向けられており、かかる状態のまま、スイッチ装置２４のボタン部材２４ａが押下される。すると、スイッチ装置２４からは指令信号が出力され、この指令信号はコネクタ２３及び接続ケーブル２５を介してＲ／Ｗユニット３０へ入力される。この指令信号が入力されると、Ｒ／Ｗユニット３０は、接続ケーブル２５及びコネクタ２３を通じてアンテナ部材２１から電磁波を送信させる。【選択図】        図３
2005228094.tif 000002
【特許請求の範囲】
【請求項１】
検査対象物に関する識別情報を検査対象物から離隔した場所にて検査するための離隔検査用装置において、
検査対象物への取り付け、検査対象物に関する識別情報の記憶、及び非接触方式でのデータ通信が可能な記憶タグから、非接触方式により識別情報を読み取ることが可能なリーダ装置と共に使用されるものであって、
光源からの入射光線を透過させる対物レンズとその対物レンズからの透過光線を更に透過させる接眼レンズとによって光源を拡大視させる望遠鏡と、
その望遠鏡に設けられ前記対物レンズの光軸と略同一方向に通信電波の指向性を有するアンテナ部材と、
そのアンテナ部材と共に前記望遠鏡に併設され前記アンテナ部材とリーダ装置との間で信号の送受信を行う通信手段とを備えていることを特徴とする離隔検査用装置。
【請求項２】
検査対象物に関する識別情報を検査対象物から離隔した場所にて検査するための離隔検査用装置において、
検査対象物への取り付け、検査対象物に関する識別情報の記憶、及び非接触方式でのデータ通信が可能な記憶タグから、非接触方式により識別情報を読み取ることが可能なリーダ装置と、
そのリーダ装置が搭載され、光源からの入射光線を透過させる対物レンズとその対物レンズからの透過光線を更に透過させる接眼レンズとによって光源を拡大視させる望遠鏡と、
その望遠鏡に設けられ前記対物レンズの光軸と略同一方向に通信電波の指向性を有し、前記リーダ装置と電気的に接続されるアンテナ部材とを備えていることを特徴とする離隔検査用装置。
【請求項３】
前記望遠鏡には、記憶タグに記憶される識別情報を読み取る場合に操作され、その操作に基づいて、リーダ装置による識別情報の読み取り処理を開始させる指令信号をリーダ装置へ出力するスイッチ装置が設けられていることを特徴とする請求項１又は２に記載の離隔検査用装置。
【請求項４】
前記望遠鏡には把持可能に形成される把持部が設けられており、
その把持部には前記スイッチ装置が設けられていることを特徴とする請求項１から３のいずれかに記載の離隔検査用装置。
【請求項５】
請求項１又は２に記載の離隔検査用装置を用いた方法であって、
前記望遠鏡の前記対物レンズを検査対象物へ向け、前記接眼レンズを通して拡大視される検査対象物を目視により確認する目標確認工程と、
その目標確認工程によって検査対象物が確認された場合に前記アンテナ部材を介して記憶タグに記憶される識別情報を前記リーダ装置により読み取る読取り工程とを備えていることを特徴とする離隔検査方法。
【請求項６】
請求項１又は２に記載の離隔検査用装置に代替して、請求項３又は４に記載の離隔検査用装置を用いた方法であって、
前記読取り工程では、前記スイッチ装置が操作されそのスイッチ装置から指令信号が出力された場合に、前記目標確認工程により検査対象が確認されたものとして前記リーダ装置による識別情報の読み取りを開始させることを特徴とする請求項５記載の離隔検査方法。
【発明の詳細な説明】
【技術分野】
【０００１】
本発明は、離隔した場所にある検査対象物を検査するために使用される離隔検査用装置および離隔検査方法に関するものである。
【背景技術】
【０００２】
従来、船舶の許可証（以下「船舶許可証」という。）の検査では、検査員が、海上や港に停泊中の船舶に乗り込んで検査対象物である船舶許可証を相手方の船舶内で直接に検査したり、或いは、網が竿の先端に取り付けられた器具を用いて船舶許可証を巡視船艇上や陸上で受け取って検査したの後に返却するという方法が採用されている。
【特許文献１】特開２００１−２９１０７３号公報
【発明の開示】
【発明が解決しようとする課題】
【０００３】
ところが、上記の方法によれば、巡視船艇に乗船している検査員が船舶許可証を検査（又は「検閲」ともいう。）する場合には、検査員が海上で相手方の船舶に乗り込んだり、或いは、上記した器具を介して船舶許可証の受け取りや返却をする必要があり、巡視船艇を相手方の船舶に接近させなければならない。しかしながら、海上の波が大きく相手方の船舶や巡視船艇が大きく揺れる状況下では船舶同士を接近させると、船舶同士の衝突を誘発するなどの危険を伴うという問題点がある。
【０００４】
また、このような衝突などの危険がなくとも、船舶間を乗り移る際の転落事故や、船舶許可証を遣り取りする際の落下事故を未然に防止するために細心の注意を払う必要があり、船舶許可証の検査に極めて時間を要してしまうという問題点もある。さらに、上記した方法では相手方船舶を停船させる必要があるため、巡視船艇からの呼び掛けに応じずに停船しない船舶に対しては船舶許可証の検査自体をなし得ないという問題点がある。
【０００５】
本発明は、上述した問題点を解決するためになされたものであり、検査者から離隔した場所にある検査対象物を、その検査対象物の間近にまで接近することなく、離隔地から安全且つ確実に検査することができる離隔検査用装置および離隔検査方法を提供することを目的としている。
【課題を解決するための手段】
【０００６】
この目的を達成するために請求項１記載の離隔検査用装置は、検査対象物に関する識別情報を検査対象物から離隔した場所にて検査するためのものであり、検査対象物への取り付け、検査対象物に関する識別情報の記憶、及び非接触方式でのデータ通信が可能な記憶タグから、非接触方式により識別情報を読み取ることが可能なリーダ装置と共に使用されるものであって、光源からの入射光線を透過させる対物レンズとその対物レンズからの透過光線を更に透過させる接眼レンズとによって光源を拡大視させる望遠鏡と、その望遠鏡に設けられ前記対物レンズの光軸と略同一方向に通信電波の指向性を有するアンテナ部材と、そのアンテナ部材と共に前記望遠鏡に併設され前記アンテナ部材とリーダ装置との間で信号の送受信を行う通信手段とを備えている。
【０００７】
この請求項１記載の離隔検査用装置によれば、まず、離隔した場所にある検査対象物（光源）へ望遠鏡の対物レンズが向けられ、その検査対象物が接眼レンズを通して拡大視されて目視により確認される。この状態において対物レンズの光軸は検査対象物へ向けられているので、望遠鏡に設けられるアンテナ部材も検査対象物へと向けられることとなる。そして、この状態のままで、通信手段によってアンテナ部材とリーダ装置との間の通信が開始されると、リーダ装置は、アンテナ部材を介して検査対象物に取り付けられる記憶タグとの間で非接触方式によるデータ通信を行う。このデータ通信によって、記憶タグに記憶される検査対象物に関する識別情報はリーダ装置により読取られ、その識別情報の検査がなされる。
【０００８】
請求項２記載の離隔検査用装置は、検査対象物に関する識別情報を検査対象物から離隔した場所にて検査するためのものであり、検査対象物への取り付け、検査対象物に関する識別情報の記憶、及び非接触方式でのデータ通信が可能な記憶タグから、非接触方式により識別情報を読み取ることが可能なリーダ装置と、そのリーダ装置が搭載され、光源からの入射光線を透過させる対物レンズとその対物レンズからの透過光線を更に透過させる接眼レンズとによって光源を拡大視させる望遠鏡と、その望遠鏡に設けられ前記対物レンズの光軸と略同一方向に通信電波の指向性を有し、前記リーダ装置と電気的に接続されるアンテナ部材とを備えている。
【０００９】
この請求項２記載の離隔検査用装置によれば、まず、離隔した場所にある検査対象物（光源）へ望遠鏡の対物レンズが向けられ、その検査対象物が接眼レンズを通して拡大視されて目視により確認される。この状態において対物レンズの光軸は検査対象物へ向けられているので、望遠鏡に設けられるアンテナ部材も検査対象物へと向けられることとなる。そして、この状態のままで、リーダ装置は、アンテナ部材を介して検査対象物が有する記憶タグとの間で非接触方式によるデータ通信を行う。このデータ通信によって、記憶タグに記憶される検査対象物に関する識別情報はリーダ装置により読取られ、識別情報の検査がなされる。
【００１０】
請求項３記載の離隔検査用装置は、請求項１又は２に記載の離隔検査用装置において、前記望遠鏡には、記憶タグに記憶される識別情報を読み取る場合に操作され、その操作に基づいて、リーダ装置による識別情報の読み取り処理を開始させる指令信号をリーダ装置へ出力するスイッチ装置が設けられている。
【００１１】
この請求項３記載の離隔検査用装置によれば、請求項１又は２に記載の離隔検査用装置と同様に作用する上、離隔した場所にある検査対象物に望遠鏡の対物レンズが向けられ、その検査対象物が接眼レンズを通して拡大視されて目視により確認されると、スイッチ装置が操作される。このスイッチ装置の操作によって、スイッチ装置からは指令信号がリーダ装置へ出力され、この指令信号をリーダ装置が受信すると、リーダ装置においては、検査対象物へと向けられたアンテナ部材を介して、記憶タグとの間でのデータ通信が開始される。
【００１２】
請求項４記載の離隔検査用装置は、請求項１から３のいずれかに記載の離隔検査用装置において、前記望遠鏡には把持可能に形成される把持部が設けられており、その把持部には前記スイッチ装置が設けられている。
【００１３】
請求項５記載の離隔検査方法は、請求項１又は２に記載の離隔検査用装置を用いた方法であって、前記望遠鏡の前記対物レンズを検査対象物へ向け、前記接眼レンズを通して拡大視される検査対象物を目視により確認する目標確認工程と、その目標確認工程によって検査対象物が確認された場合に前記アンテナ部材を介して記憶タグに記憶される識別情報を前記リーダ装置により読み取る読取り工程とを備えている。
【００１４】
請求項６記載の離隔検査方法は、請求項５記載の離隔検査方法において、請求項１又は２に記載の離隔検査用装置に代替して、請求項３又は４に記載の離隔検査用装置を用いた方法であって、前記読取り工程では、前記スイッチ装置が操作されそのスイッチ装置から指令信号が出力された場合に、前記目標確認工程により検査対象が確認されたものとして前記リーダ装置による識別情報の読み取りを開始させる。
【発明の効果】
【００１５】
本発明の離隔検査用装置、又は、当該装置を用いた離隔検査方法によれば、アンテナ部材は対物レンズの光軸と略同一方向に向けられた状態で望遠鏡に設けられるので、離隔した場所にある検査対象物を望遠鏡で拡大視して目視するだけで、離隔した場所にある検査対象物に対してアンテナ部材の向きを合わせることができ、結果、アンテナ部材を記憶タグと通信可能な方向へ向けることができるという効果がある。
【００１６】
例えば、船舶許可証が検査対象物であれば、その船舶許可証に関する識別情報を記憶タグに記憶して船舶許可証に取り付け、その船舶許可証を船舶の外から見える場所に提示させておくのである。そうすれば、巡視船艇にいる検査員は、望遠鏡を覗いて他の船舶の船舶許可証を遠方から目視するだけで、記憶タグと通信可能な方向へアンテナ部材を向けることができ、その結果、リーダ装置による記憶タグからの識別情報の読み取りを遠方から行うことができる。
【００１７】
従って、巡視船艇を他の船舶に接近させずとも船舶許可証の検査を行うことができるので、海上での波が大きくて船舶が大きく揺れるために船舶同士を接近させることが困難な場合や、停船を拒む不審船などの船舶許可証を検査する場合にあっても、離れた場所から危険を伴うことなく船舶許可証を検査できるという効果がある。
【００１８】
また、請求項３記載の離隔検査用装置、又は、当該装置を用いた請求項６記載の離隔検査方法によれば、望遠鏡を覗いて検査対象物が確認され、その上でスイッチ装置が操作された場合にのみリーダ装置による識別情報の読み取り処理を開始させることができる。従って、リーダ装置は、スイッチ装置が操作されるまで、アンテナ部材による電波の放射を停止させておくことができ、記憶タグを探査するための不要な電波を常時放射する必要もないという効果がある。
【００１９】
更に、請求項４記載の離隔検査用装置、又は、当該装置を用いた請求項６記載の離隔検査方法によれば、スイッチ装置は把持部に設けられるので、望遠鏡を把持する手を持ち替えることなく、スイッチ装置を操作させることができる。従って、スイッチ装置の操作の際に、望遠鏡の対物レンズの光軸が検査対象物から外れて、検査対象物に照準が合わせられたアンテナ部材の向きが検査対象物から外れることを防止でき、アンテナ部材と記憶タグとの間での非接触方式によるデータ通信をより確実に行うことができるという効果がある。
【発明を実施するための最良の形態】
【００２０】
以下、本発明の好ましい実施例について、添付図面を参照して説明する。図１は、本発明の一実施例である検査用アンテナ装置２０が用いられる離隔検査システム１の外観図であって、かかるシステム１を、巡視船艇５０から離隔した船舶４０の船舶許可証を検査するために使用する場合について図示している。図１に示すように、このシステム１は、主に、船舶４０などの検査対象に関する各種情報が記憶される記憶タグ１０と、検査用アンテナ装置２０と、リーダーライター（以下、「Ｒ／Ｗ」という。）ユニット３０とを備えている。
【００２１】
記憶タグ１０は、船舶４０に関する各種情報が記録される船舶許可証などの検査対象物２に取り付けられるものであり、その検査対象物２に記録されている内容（以下「識別情報」という。）が電子情報として記憶されるものである。この記憶タグ１０は、例えば、マイクロ波方式など非接触通信方式のＲ／Ｗユニット３０によってデータ（情報）の読み出し及び書き込みが可能なＩＣ（集積回路）タグであり、一般にはＲＦ−ＩＤ（Radio Frequency-IDentification）と称されている。なお、記憶タグ１０の通信距離は、例えば、最大略２０ｍ程度まで確保される。
【００２２】
図２は、記憶タグ１０の電気的構成を示したブロック図である。図２に示すように、記憶タグ１０には、主に、制御回路１１と、メモリ１２と、アンテナ回路１３と、電源回路１４と、復調回路１５と、変調回路１６とが設けられている。制御回路１１は、Ｒ／Ｗユニット３０からの指令を受けて記憶タグ１０の動作を制御する制御装置であり、メモリ１２と、復調回路１５と、変調回路１６とそれぞれ接続されている。
【００２３】
メモリ１２は、制御回路１１により各種データが読み出され又は書き込まれる不揮発性の書換可能な記憶装置であり、その一部に検査対象物２に関する識別情報が記憶されている。アンテナ回路１３は、非接触通信に用いられるアンテナであり、検査用アンテナ装置２０からの電磁波（電波）を受信すると共に、制御回路１１により読み出された識別情報を検査用アンテナ装置２０へ送信する。
【００２４】
また、電源回路１４は、アンテナ回路１３により受信される電磁波を受けて、記憶タグ１０の各部へ電力供給するものである。更に、復調回路１５は、アンテナ回路１３により受信したアナログ信号をデジタル信号に復調して制御回路１１へ出力するものであり、変調回路１６は、制御回路１１から出力されるデジタル信号をアナログ信号に変調してアンテナ回路１３へ出力するものである。
【００２５】
図３（ａ）は、巡視船艇５０に装備される検査用アンテナ装置２０の平面図であり、図３（ｂ）は検査用アンテナ２０の前面図である。図３に示すように、検査用アンテナ装置２０は、Ｒ／Ｗユニット３０との非接触通信用のアンテナ部材２１と、そのアンテナ部材２１が固定的に設けられる双眼望遠鏡２２と、アンテナ部材２１のアンテナ素子とＲ／Ｗユニット３０とを着脱可能に電気的に接続させるコネクタ２３と、スイッチ装置２４とを備えている。
【００２６】
アンテナ部材２１は、電気導電性を有するアンテナ素子（図示せず）が電気的絶縁性を有する絶縁材料の内部に設けられたパッチアンテナであり、その前面（図３（ｂ）手前側の面）で電磁波の送受信を行うものである。双眼望遠鏡２２は、一対の単眼望遠鏡２２ａ，２２ａを並設したものであり、その各単眼望遠鏡２２ａへ入射した光線による像を両眼で拡大視するためのものである。
【００２７】
単眼望遠鏡２２ａは、対物レンズ２２ｂから入射した光線を筐体２２ｃ内に収容されるプリズム２２ｄ，２２ｄで屈折させて、接眼レンズ２２ｅから筐体２２ｃ外へ放射させる構造を有している。この単眼望遠鏡２２ａによれば、対物レンズ２２ｂの光軸Ｌ（図３（ａ）中の１点鎖線）方向を拡大視させたい対象物へ向けることによって、かかる対象物を接眼レンズ２２ｅ側で拡大視させることができるのである。
【００２８】
ところで、アンテナ部材２１は、双眼望遠鏡２２の筐体２２ｃ，２２ｃの上部に跨設されおり、そのアンテナ部材２１の前面部が通信用の電磁波を放射する送受信面２１ａとされている。アンテナ部材２１は、電磁波の送受信面２１ａと略直交する前側方向（図３（ａ）下側）へ電磁波を放射する指向性を有しており、かかる送受信面２１ａが各単眼望遠鏡２２ａの対物レンズ２２ｂへ入射する光線の光軸Ｌと略同一方向へ向けられている。このため、双眼望遠鏡２２によって検査対象物２が拡大視されると、アンテナ部材２１の電磁波の送受信面２１ａは自ずと検査対象物２の存在する方向へ向けられるのである。
【００２９】
また、双眼望遠鏡２２の筐体２２ｃ，２２ｃは双眼望遠鏡２２の使用者により把持される把持部を兼ねており、その一方の筐体２２ｃの上部には、スイッチ装置２４が設けられている。スイッチ装置２４は、Ｒ／Ｗユニット３０による識別情報の読み取り処理を開始させるための指令信号をコネクタ２３へ出力するものであり、筐体２２ｃを把持する指先で押下されるボタン部材２４ａを備えている。
【００３０】
ボタン部材２４ａは、Ｒ／Ｗユニット３０への指令信号を出力させる場合に押下されるものであり、このボタン部材２４ａが押下されると、指令信号がスイッチ装置２４からコネクタ２３へ出力される。このスイッチ装置２４から出力された指令信号がコネクタ２３を通じてＲ／Ｗユニット３０へ入力されれば、Ｒ／Ｗユニット３０では、記憶タグ１０から識別情報を読み取るための処理が開始される。
【００３１】
Ｒ／Ｗユニット３０は、検査用アンテナ装置２０と共に巡視船艇５０に装備されるものであり、検査用アンテナ装置２０のアンテナ部材２１を介して、記憶タグ１０に記憶される識別情報を読み取ると共に必要に応じて記憶タグ１０に各種情報を書き込むための機器である。このＲ／Ｗユニット３０は、接続ケーブル２５を介して検索用アンテナ装置２０のコネクタ２３と電気的に着脱可能に接続され、このコネクタ２３及び接続ケーブル２５を通じてアンテナ部材２１のアンテナ素子と電気的に接続される。
【００３２】
図４は、Ｒ／Ｗユニット３０の電気的構成を示したブロック図である。図４に示すように、Ｒ／Ｗユニット３０には、ＣＰＵ３１、ＲＯＭ３２、ＲＡＭ３３、入出力回路３４、電源回路３５と、復調回路３６と、変調回路３７と、表示器３８とが設けられている。ここで、ＣＰＵ３１、ＲＯＭ３２及びＲＡＭ３３はバスラインを介して相互に接続されている。このバスラインは、更に、入出力回路３４に接続されており、この入出力回路３４には接続ケーブル２５及びコネクタ２３を介してアンテナ部材２１が接続される。
【００３３】
ＣＰＵ３１は、Ｒ／Ｗユニット３０の各部を制御する演算装置であり、ＲＯＭ３２は、このＲ／Ｗユニット３０で実行される制御プログラムや各種の固定値データを格納した書換え不能な不揮発性メモリである。ＲＡＭ３２は、Ｒ／Ｗユニット３０の各動作の実行時に各種のデータを一時的に記憶するための書換可能な揮発性メモリであり、記憶タグ１０から読み取った識別情報を記憶することができる。なお、Ｒ／Ｗユニット３０には常時給電を受ける電源回路３５が設けられており、この電源回路３５によって各部に常時必要な電力が供給されている。
【００３４】
復調回路３６は、検査用アンテナ装置２０のアンテナ部材２１により受信した電磁波信号（アナログ信号）を識別情報等の元データ（デジタル信号）に復調するものであり、変調回路３７は、記憶タグ１０へ送信される各種指令などの各データ（デジタル信号）を電磁波信号（アナログ信号）に変調してアンテナ部材２１へ出力するものである。表示器３８は、記憶タグ１０から読み取った識別情報を、文字情報や画像情報に変換して表示させる表示装置である。この表示器３８に記憶タグ１０から読み取った識別情報を表示させることによって、検査員は船舶４０の船舶許可証に記録される内容を検査できる。
【００３５】
次に、図１から図３を参照して、上記のよう構成された離隔検査システム１の使用方法について説明する。まず、図１に示すように記憶タグ１０は検査対象物２である船舶許可証に取り付けられ、その検査対象物２は航行する船舶４０の船体のうち、アンテナ部材２１から出力される電磁波を受信可能な箇所に設置される。一方、検査用アンテナ装置２０及びＲ／Ｗユニット３０は、巡視船艇５０に装備される。
【００３６】
巡視船艇５０上の検査員が他の船舶（以下「被検査船舶」という。）４０の船舶許可証を検査する場合、まず、検査員は、巡視船艇５０上で検査用アンテナ装置２０を構え、双眼望遠鏡２２の単眼望遠鏡２２ａ，２２ａの接眼レンズ２２ｅ，２２ｅを両眼で覗き込み、被検査船舶４０に設置される検査対象物２の存在を目視によって確認する。このとき検査対象物２の存在が目視で確認されなければ、検査対象物２である船舶許可証を船外で提示する旨、被検査船舶４０の乗員に対して拡声器などにより指示する。
【００３７】
検査対象物２の存在が双眼望遠鏡２２によって目視で確認されれば、アンテナ部材２１における電磁波の送受信面２１ａは検査対象物２に向けられており、かかる状態のまま、スイッチ装置２４のボタン部材２４ａが押下される。すると、スイッチ装置２４からは指令信号が出力され、この指令信号はコネクタ２３及び接続ケーブル２５を介してＲ／Ｗユニット３０へ入力される。この指令信号が入力されると、Ｒ／Ｗユニット３０は、接続ケーブル２５及びコネクタ２３を通じてアンテナ部材２１から電磁波を送信させる。
【００３８】
このとき、アンテナ部材２１と記憶タグ１０とが通信可能な距離にあれば、このアンテナ部材２１から送信された電磁波は、検査対象物２に取り付けられる記憶タグ１０に到達し、その記憶タグ１０のアンテナ回路１３により受信されて記憶タグ１０が起動されＲ／Ｗユニット３０との通信を開始する。記憶タグ１０とＲ／Ｗユニット３０との通信では、まず、Ｒ／Ｗユニット３０のＣＰＵ３１がＲＯＭ３２に記憶される制御プログラムに従って処理を実行し、記憶タグ１０の識別情報を要求するコマンドがデジタル信号として出力される。
【００３９】
この識別情報を要求するコマンドは、変調回路３７によりアナログ信号に変調され、入出力回路３４を経てアンテナ部材２１から記憶タグ１０へ電磁波として送信される。この電磁波は、記憶タグ１０のアンテナ回路１３により受信され、復調回路１５により制御回路１１のクロック周波数に同期させながらデジタル信号のコマンドに復調される。
【００４０】
記憶タグ１０では、Ｒ／Ｗユニット３０からのコマンドを受けて、制御回路１１によって識別情報がメモリ１２から読み出され、その識別情報が変調回路１６によりデジタル信号からアナログ信号に変調されて、アンテナ回路１３により電磁波として送信される。記憶タグ１０が送信した電磁波は、検査用アンテナ装置２０のアンテナ部材２１により受信され、Ｒ／Ｗユニット３０の復調回路３６によりＣＰＵ３１のクロック周波数に同期させながらデジタル信号の識別情報に復調されて、ＲＡＭ３３に一時的に記憶される。
【００４１】
ＲＡＭ３３に記憶された識別情報は、Ｒ／Ｗユニット３０の表示器３８に表示され、この表示によって、検査員による被検査船舶４０の船舶許可証の内容の検査がなされる。従って、巡視船艇５０を被検査船舶４０に近づけずに、安全且つ確実に船舶許可証の内容を確認できるのである。
【００４２】
次に、図５を参照して、上記実施例の変形例について説明する。図５は、第２実施例の検索用アンテナ装置１２０及びＲ／Ｗユニット１３０の電気的構成を示したブロック図である。第２実施例の検索用アンテナ装置１２０及びＲ／Ｗユニット１３０は、上記した第１実施例の検索用アンテナ装置２０及びＲ／Ｗユニット３０間での通信がコネクタ２３及び接続ケーブル２５を介した有線通信方式であるのに対して、検索用アンテナ装置及びＲ／Ｗユニット間の通信を無線方式に変更したものである。以下、第１実施例と同一の部分には同一の符号を付して、その説明を省略し、異なる部分のみを説明する。
【００４３】
図５に示すように、検索用アンテナ装置１２０には通信モジュール１２１が配設されており、この通信モジュール１２１はアンテナ部材２１のアンテナ素子と電気的に接続されている。一方、Ｒ／Ｗユニット１３０には通信モジュール１３１が配設されており、この通信モジュール１３１は入出力回路３４と電気的に接続されている。これら通信モジュール１２１，１３１は無線方式による通信を行うための機器である。
【００４４】
具体的には、アンテナ部材２１により受信された信号は通信モジュール１２１から通信モジュール１３１へ無線送信されてＲ／Ｗユニット３０へ入力され、スイッチ装置２４から出力される指令信号は通信モジュール１２１から通信モジュール１３１へ無線送信されてＲ／Ｗユニット３０へ入力され、Ｒ／Ｗユニット３０から送信される信号は通信モジュール１３１から通信モジュール１２１へ無線送信されてアンテナ部材２１から電磁波となって放射される。
【００４５】
以上、実施例に基づき本発明を説明したが、本発明は上記実施例に何ら限定されるものではなく、本発明の趣旨を逸脱しない範囲内で種々の改良変形が可能であることは容易に推察できるものである。例えば、本実施例では、検索用アンテナ装置２０とＲ／Ｗユニット３０とを別体に形成するものとして説明したが、これらは必ずしも別体である必要はない。具体的には、検索用アンテナ装置にＲ／Ｗユニットを搭載させて、かかる両者を一つの装置とすることもできる。このように検索用アンテナ装置にＲ／Ｗユニットが一体化されたものが、請求項２記載の離隔検査用装置における実施形態（実施例）に相当する。
【００４６】
また、本実施例では、船舶許可証を検査対象物２として説明したが、記憶タグ１０を船舶４０の船体自体の特定箇所に取り付け、その船体の特定箇所自体を検査対象物としても良い。更に、アンテナ部材２１はパッチアンテナに必ずしも限定されるものではなく、例えば、単一八木宇田アンテナであっても良い。更に、本実施例では、検査用アンテナ装置が用いられる離隔検査システムを船舶許可証の検査に適用する場合について説明したが、かかる離隔検査システムの適用範囲は、必ずしもこれに限定されるものではなく、記憶タグを取り付け可能な検査対象物であれば、他の用途に適用しても良い。
【００４７】
また、単眼望遠鏡２２ａの構造は必ずしも筐体２２ｃ内にプリズム２２ｄを有するものである必要はなく、対物レンズ２２ｂを透過した光線をプリズムを介さずに接眼レンズ２２ｅへ透過させる構造であっても良い。また、検査用アンテナ装置２０に使用される望遠鏡は、必ずしも双眼望遠鏡２２に必ずしも限定されるものではなく、１つの単眼望遠鏡であっても良い。
【図面の簡単な説明】
【００４８】
【図１】本発明の一実施例である検査用アンテナ装置が用いられる離隔検査システムの外観図である。
【図２】記憶タグの電気的構成を示したブロック図である。
【図３】（ａ）は、巡視船艇に装備される検査用アンテナ装置の平面図であり、（ｂ）は検査用アンテナの前面図である。
【図４】Ｒ／Ｗユニットの電気的構成を示したブロック図である。
【図５】第２実施例の検索用アンテナ装置及びＲ／Ｗユニットの電気的構成を示したブロック図である。
【符号の説明】
【００４９】
２                  検査対象物（検査対象物、光源）
２０，１２０        検査用アンテナ装置（離隔検査用装置）
２１                アンテナ部材
２２                双眼望遠鏡（望遠鏡）
２２ｂ              対物レンズ
２２ｃ              筐体（把持部）
２２ｅ              接眼レンズ
２３                コネクタ（通信手段）
２４                スイッチ装置
３０，１３０        Ｒ／Ｗユニット（リーダ装置）
１２１              通信モジュール（通信手段）
Ｌ                  対物レンズの光軸
【図１】
2005228094.tif 000003
【図２】
2005228094.tif 000004
【図３】
2005228094.tif 000005
【図４】
2005228094.tif 000006
【図５】
2005228094.tif 000007